(57)【要約】  各々が個別に初期の重要度のスコア（得点）をもつ複数の区画101a、、、101lを有するコンテンツ項目100の初期のサマリ110を更新する方法である。当該初期のサマリ110は、各区画の個別の重要度のスコアに基づいて選択されたコンテンツ項目100の内の複数の区画のサブセットを有する。当該方法は、初期のサマリ110の、選択された区画に対するユーザのフィードバック301を受信するステップと、選択された区画に対するコンテンツ特性201に基づいた、所与の区画に対する重要度のスコアの導出に影響を与える影響の度合いであって、受信したユーザのフィードバック301に基づき、重要度のスコアに対する複数のコンテンツ特性201の各々の、当該影響の度合いを決定するステップと、コンテンツ特性201の調節された影響の度合いに基づき、コンテンツ項目に付属する複数の区画の少なくとも一部について更新された重要度のスコアを抽出するステップと、各区画で個別に更新された重要度のスコアに基づき、複数の区画のサブセットを更新することによって、前記サマリを更新するステップとを有する。
2009536490.tif 000002
【特許請求の範囲】
【請求項１】
個別の重要度のスコアに基づいて選択された、コンテンツ項目の複数の区画のサブセットを有する初期のサマリであって、各々が個別に初期の重要度のスコアをもつ複数の前記区画を有する前記コンテンツ項目の当該初期のサマリを更新する方法において、
−  前記初期のサマリにある選択された区画に対する、ユーザのフィードバックを受信するステップと、
−  前記選択された区画に対するコンテンツ特性に基づいて、所与の前記区画に対する前記重要度のスコアの導出に影響を及ぼす影響の度合いであって、前記受信したユーザのフィードバックに基づく前記重要度のスコアに対する、複数の前記コンテンツ特性の各々の当該影響の度合いを決定するステップと、
−  前記コンテンツ特性の、調節された前記影響の度合いに基づいて、前記コンテンツ項目に付属する複数の区画の少なくとも一部の更新された重要度のスコアを導出するステップと、
−  前記複数の区画の個別に更新された前記重要度のスコアに基づき前記複数の区画のサブセットを更新することにより、前記サマリを更新するステップとを有する、初期のサマリを更新する方法。
【請求項２】
前記ユーザのフィードバックが、当該ユーザがある区画を好きか、又は嫌いかどうかの呈示を有する、請求項1に記載の方法。
【請求項３】
前記ユーザのフィードバックが受信された区画が、前記フィードバックが受信されている間はサマリが休止される区画として選択される、請求項1に記載の方法。
【請求項４】
前記影響の度合いが、重み付け係数として実行される、請求項1に記載の方法。
【請求項５】
前記更新されたサマリにおいて、前記フィードバックが供された区画から前記サマリの終わりまでの区画のみが更新される、請求項1に記載の方法。
【請求項６】
前記選択された区画に隣接する、少なくとも1個の区画を追加又は削除することによって、ユーザが前記サマリを短縮したり又は拡張したりすることを可能にする、請求項1に記載の方法。
【請求項７】
前記ユーザが、複数の区画の前記サブセットから選択される区画であって、前記現在のサマリに付属してはいない当該区画を前記サマリに追加することを可能にする、請求項1に記載の方法。
【請求項８】
前記サマリのサイズが保持される、請求項1に記載の方法。
【請求項９】
前記サマリの前記サイズが、複数の区画を自動的に追加又は削除することによって保持される、請求項7に記載の方法。
【請求項１０】
前記サマリが、複数の区画の再生リストとして実行される、請求項1に記載の方法。
【請求項１１】
初期のサマリにある選択された区画に対するユーザのフィードバックを受信する手段と、
前記受信したユーザのフィードバックに基づき、コンテンツ特性の各々の影響の度合いを調節する制御手段と、
前記ユーザのフィードバックに基づき、コンテンツ項目に付属する複数の区画の少なくとも一部の、更新された重要度のスコアを抽出する手段と、
複数の区画の個別に更新された前記重要度のスコアに基づいて、前記複数の区画のサブセットを更新することによって、前記サマリを更新する手段とを供する、請求項1に記載された方法に従って動作する、装置。
【請求項１２】
前記初期のサマリにおいて、前記フィードバックが供された区画から前記サマリの終わりまでの区画のみが更新される、初期のサマリを更新する請求項11に記載の装置。
【請求項１３】
前記選択された区画に隣接する、少なくとも1個の区画を追加又は削除することにより、前記サマリを短縮又は拡張することを可能にする、請求項11に記載の装置。
【請求項１４】
前記サマリのサイズを供する手段を更に有する、請求項11に記載の装置。
【請求項１５】
請求項1に記載された方法を実行するための装置ハードウエア上で走ることが可能なソフトウエア。
【発明の詳細な説明】
【技術分野】
【０００１】
本発明は、各々が個別に初期の重要度のスコア（得点）をもつ複数の区画を有するコンテンツ項目の初期のサマリを更新する方法に関する。当該初期のサマリは、各区画の個別の重要度のスコアに基づいて選択された、コンテンツ項目の内の複数の区画のサブセットを有する。
【背景技術】
【０００２】
ビデオキャプチャ機能を備えた民生装置の利用可能性及び値ごろ感は近年増大した。これは、ユーザが彼らの生活の中で経験する多数の出来事を記録することを可能にする。この結果、一人のユーザによって作られた大量のオーディオビジュアルの題材を生じることになる。興味のあるオーディオビジュアルの題材が、より人目につかないオーディオビジュアルの題材と混在しているので、当該記録のノーカットの視聴は、かなり時間のかかる退屈なことがある。適宜オーディオビジュアル・コンテンツの項目のサマリを作るために、様々な技術が開発された。
【発明の開示】
【発明が解決しようとする課題】
【０００３】
国際特許公開公報WO 2005/119515 A1(出願人整理番号PHNL040728)は、マルチメディアストリームのサマリにダイナミックに影響を及ぼすことを可能にする方法と電子装置とを開示しており、当該方法は、
−  当該サマリをユーザに示すステップと、
−  ユーザから、マルチメディアストリーム内に少なくとも現れるトピックに関するユーザ入力を得るステップと、
−  サマリが変更されユーザに示すことができるよう、少なくとも得られたユーザ入力に関連したサマリを更新するステップとを有する。当該トピックは、元になるマルチメディアのストリームのトピック又は属性などの、コンテンツの記述子を含むメタデータのストリーム内に含まれている。この理由により、このメタデータのストリームは、元になるマルチメディアのストリームに付随している。
【０００４】
上記の方法及び上記の電子装置の欠点は、当該サマリを更新するために、事前に用意され、マルチメディアのストリーム内に在るメタデータをもつのが必要なことである。このメタデータは、適宜マルチメディアのコンテンツに対して用意される必要がある。更に当該メタデータが取得されねばならず、これは追加のデータストリームが受信され、データ処理されることが必要なことを意味する。更に、当該メタデータを指図するユーザ入力を供することは、かなり面倒であり、不便である。
【０００５】
サマリを更新するためにコンテンツ項目に対するメタデータを必要とはしない、コンテンツ項目の初期のサマリを更新する方法を供することが、本発明の目的である。
【課題を解決するための手段】
【０００６】
本発明によれば、この目的は、
−  初期のサマリにある選択された区画に対するユーザのフィードバックを受信するステップと、
−  選択された区画に対するコンテンツ特性に基づいた、所与の区画に対する重要度のスコアの導出に影響を与える影響の度合いであって、受信したユーザのフィードバックに基づく、重要度のスコアに対する複数のコンテンツ特性の各々の、当該影響の度合いを決定するステップと、
−  調節されたコンテンツ特性の影響の度合いに基づき、コンテンツ項目に付属する複数の区画の少なくとも一部について更新された重要度のスコアを抽出するステップと、
−  各区画で個別に更新された重要度のスコアに基づき、複数の区画のサブセットを更新することによって、前記サマリを更新するステップとを特徴とする、上で説明された方法で実現される。
【０００７】
サマリを作るとき、区画は区画のコンテンツ特性に基づいて選択される。選択において、各々のコンテンツ特性は特定の影響の度合いをもっている。例えば、輝度及びオーディオのレベルは、選択のための重要な要因となるかもしれないが，しかしビデオ信号の赤色のレベルの量はそうではない。本発明によれば、ユーザのフィードバックに基づいて、選択された区画のコンテンツ特性が評価され、選択された区画のコンテンツ特性の影響の度合いが、当該評価に基づいて調節される。例えば、選択された区画が低い輝度レベルをもっていて、ユーザが積極的なフィードバックを表明する場合、輝度の重要度は減じられることができる。その後、新たな重要度のスコアが、様々なコンテンツ特性の調節された影響の度合いを用い、前記区画に対して抽出される。この新たな重要度のスコアを用いて、ユーザの嗜好により良く合わせた更新されたサマリが作られる。コンテンツ特性のみが考慮されるので、いかなるメタデータも、サマリを更新するために必要とされない。
【０００８】
実施例では、ユーザのフィードバックは、ある区画をユーザが好きか又は嫌いかどうかの表示を有する。これは、ユーザとの対話の容易で直感的な態様を可能にする。
【０００９】
別の実施例では、ユーザのフィードバックが受信された区画が、フィードバックが受信されているときはサマリの作成が休止される区画として選択される。供されたフィードバックが、どの区画を参照しているかに対する曖昧さが生じないので、これはユーザのフィードバックを供する焦点の定まった態様を可能にする。
【００１０】
別の実施例では、更新されたサマリにおいて、フィードバックが供された区画から当該サマリの終わりまでの、複数の区画のみが更新される。これは、既に承認されたサマリの更新された部分をユーザが保持することを可能にし、ユーザが未だ視聴していないサマリの部分のみを更新することを可能にする。
【００１１】
別の実施例では、選択された区画に隣接する少なくとも1個の区画を追加したり又は削除することによって、ユーザが当該サマリを短縮したり、拡張したりすることを可能にする方法が記載されている。これは、ユーザがフィードバックしたコンテンツを拡張することを可能にする。単純な好き/嫌いに代わり、ユーザのフィードバックで伝達される、より多くの情報が有る。即ち、ユーザは特定の区画が大変好きなので、この区画を有する映像ショットが拡張されねばならない。他方、ユーザは特定の区画が大変嫌いなので、この区画を有する映像ショットは短縮されねばならない。
【００１２】
別の実施例では、サマリのサイズが区画の自動追加又は自動削除によって保持される。この実施例は、更新されたサマリに組み込まれるべき区画の選択に対する追加の拘束を供する。しかし基本的にはこの例は、サマリが長過ぎたり、短過ぎたりすることを回避する。
【００１３】
別の実施例では、サマリは区画の再生リストとして実行される。区画の再生リストはサマリを実行する効果的な態様である。サマリの何らかの新たな更新は、オーディオビジュアルのコンテンツ項目の何らかのデータ処理をすることなく、区画表示子のリストの更新を必要とする。
【００１４】
本発明は更に、本発明による方法で使用する装置を供する。方法及び装置の好都合な実施例が、従属する請求項内に提示されている。
【００１５】
本発明のこれらの態様及び他の態様は、図に示された実施例から明らかになり、当該実施例を引用して説明されよう。
【００１６】
全図面を通じて、同一の引用番号は同様の特徴又は対応する特徴を表している。図中に示された幾つかの特徴は、一般的にはソフトウエア内で実行され、ソフトウエアモジュール又はソフトウエアオブジェクトなどのソフトウエアの構成要素を表してもいる。
【発明を実施するための最良の形態】
【００１７】
図1は、コンテンツ項目100と、対応する初期のサマリ110とを概観的に示している。当該コンテンツ項目100は、第1の（最初の）区画101aから最後の区画101lまで並ぶ、複数の区画を有する。区画を決定するための非常に多くの良く知られた態様がある。代替案の一つは、区画を手作業で決める事である。別の代替案は、例えば 、Yeung.MM及びLiu.Bの "Efficient matching and clustering of video shots"、画像処理国際会議、pp. 338−341、1995で説明されている方法を用いることによる区画分けの自動化である。上で説明された区画分け法は、単に例であって、他の方法もまた可能である。
【００１８】
コンテンツ項目に付属する複数の区画の各々は、区画を表す枠に入れられた数値によって示されている、個別の初期の重要度のスコアを持っている。これらの重要度のスコアは、区画の重要度についての主観的なスコアであるか、又は客観的なスコアであるかのいずれかである。主観的なスコアは手作業で導入され、誰か、例えば当該コンテンツ項目の監督又は作者の判断を直接反映するスコアである。代替的に、客観的なスコアは、人間による介入無しで、区画に含まれているコンテンツに基づいて計算される。本発明のこの態様は、図2を参照して議論されよう。
【００１９】
初期のサマリ110は、コンテンツ項目の、個別の区画の重要度のスコアに基づいて選択された複数の区画のサブセットを有する。区画103は、選択された区画の一つである。当該区画103の枠の太い実線は、この区画がサマリに選択されたことを示している。区画104の枠の破線は、この区画がサマリに選択されなかったことを示している。
【００２０】
図1に示す例では、初期のサマリ110は5より大きな重要度のスコアをもつ全ての区画を有している。サマリに掲載される区画を選択するために、この場合5という値であるが、閾値を用いることは多数の代替案の一つに過ぎない。他の規準もまた、サマリ用の区画を選択するのに用いられることができる。例えば、選択された複数の区画がトップの重要度のスコアをもつような、事前に決められた数の区画を有するサブセットが選ばれることが可能である。更に別のオプションは、トップの重要度のスコアをもつ複数の区画のサブセットを、選択された複数の区画に対する合計のサイズが事前に決められたサマリのサイズに最も近くなるよう選択することである。多数の他の選択規準もまた有り得る。
【００２１】
コンテンツ項目は、好ましくはオーディオビジュアル・コンテンツを有する。当該コンテンツ項目は好ましくは、音楽、ビデオ、映画、映像クリップ、マルチメディアコンテンツ、グラフィック等々を有する。
【００２２】
図2は、区画101（101a、、、、101lの一つ）に対応する初期の重要度のスコアの、この区画に関する複数のコンテンツ特性201に対する依存度を例示している。コンテンツ特性という用語は、コンテンツ自身の特性のことを呼び、このコンテンツに付随する記述又は他のメタデータのことを呼ぶのではない。コンテンツ特性の幾つかの例は、輝度レベル、色相や飽和のレベル、オーディオ音量のレベル、オーディオの分類（スピーチ、音楽、雑音、群集等）、スピーチ検知や文境界検知、カメラの動き（パン、チルト、ズーム等）、動きのぶれ、焦点のぼやけ、映像ショットのタイプ（望遠、広角、近接等）、顔検知、及び多数の他のものがある。他方、タイトル名、監督名、俳優名、コンテンツのキーワード又はコンテンツの区画などの項目はコンテンツ特性ではない、というのは、これらの用語は現行のドキュメント内で使われているからである。これらのコンテンツ特性の各々は、区画101内に有るコンテンツに対して測定されることができ、複数のコンテンツ特性の各々に対して、ある事前に決められた最大値に対して相対的な値が付与されることができる。
【００２３】
通常、区画は、例えば一連のフレームを有する。コンテンツ特性の値は、例えば、当該区画に付属しているフレームに対するコンテンツ特性の値の算術平均又は最小値であり得る。代替的には、斯様な平均は、特定のフレームのサブセットに対して計算されることができよう。例えば、区画内で等間隔に並べられたフレームのうちの、事前に決められたフレーム数に対して計算されるとか、又はコンテンツに基づいて、区画を代表すると考えられるフレームに対して計算されよう。区画101に対するコンテンツ特性値を計算する複数の方法が、良く知られている。
【００２４】
コンテンツに関して、特定のコンテンツ特性を測定するために、コンテンツを完全に又は部分的にデコードすることが必要とされよう。カムコーダ機能をもつ現代の装置でしばしば用意されている、AVコンテンツで使われるフォーマットは、MPEG2、MPEG4、又はDV（デジタルビデオ）である。しかしながら、他のフォーマットが排除されているわけではない。
【００２５】
コンテンツに付随するメタデータは、コンテンツ特性ではないことに留意すべきである。というのは、コンテンツ特性という用語は、コンテンツの記述としてではなく、オーディオビジュアル・コンテンツの測定可能な固有性として理解されるべきである。コンテンツ特性201は、コンテンツから直接抽出され、決してメタデータに関連してはいない。
【００２６】
しかしながら、サマリを更新する提案された方法が、コンテンツ項目に対応するメタデータに基づいた追加の選択規準を用いることは排除されるべきではない。しかしながら斯様な場合、コンテンツに依存しているものの、メタデータはオーディオビジュアルコンテンツを有するコンテンツ項目に対応する別のメタデータ項目によって供される。
【００２７】
区画101に対する複数のコンテンツ特性201に基づいて、初期の重要度のスコアが当該区画101に対して抽出される。これは、当該区画がユーザに好まれるかどうかについてのユーザからのフィードバックが未だ何ら得られていないので、純粋にコンテンツ特性に基づいた重要度のスコアである。
【００２８】
当該初期の重要度のスコアは、幾つかの特定のアルゴリズムによって計算される。当該重要度のスコアの計算は、例えばBarbieri M.、Weda H.、Dimitrova N.の「Browsing Video Recordings Using Movie-in-a-Minute」、民生用電子機器のIEEE国際会議議事録、ICCE 2006、pp.301-302、January 7-11、2006、Las Vegas、USAで議論されている。
【００２９】
図3は、提案された、初期のサマリを更新する方法のフローチャートを示している。第1のステップ310で、初期のサマリが作られるか、又は取り出される。第2のステップ320で、重要度のスコアに対する、複数のコンテンツ特性の各々の影響の度合いが、ユーザフィードバック301に基づいて決定される。第3のステップ330で、コンテンツ項目に付属する、複数の区画に対する重要度のスコアが更新される。第4のステップ340で、個別に更新された重要度のスコアに基づき、複数の区画のサブセットを更新することにより、更新されたサマリが作られる。
【００３０】
選択した区画にユーザが、彼のフィードバック301を供する度ごとに、このフィードバックに基づいて、コンテンツ特性201の各々の影響の度合いが調節される。当該影響の度合いは、重要度のスコアの導出に影響を及ぼす。影響度の等級付けは、例えば複数のコンテンツ特性の各々に対する重み付け係数の調節を通じて行われることが可能である。調節された重み付け係数は、その後、コンテンツ項目に付属する区画の重要度のスコアを更新するために用いられる。
【００３１】
ある実施例では各重み付け係数が、複数のコンテンツ特性201の各々に対して割り当てられる。続いて、重み付け係数[w1 w2 …wn]を有するベクトルと、複数のコンテンツ特性201を有する対応するベクトルとの内積が重要度のスコアskになる：
2009536490.tif 000003
【００３２】
複数のコンテンツ特性から重要度のスコアを計算する他の態様も可能である。例えば、幾つかのアルゴリズムは、類似の特性カテゴリに対するコンテンツ特性の依存度を利用している。例えば、ビデオに対するコンテンツ特性は、オーディオに対するコンテンツ特性よりも、別の態様で重要度のスコアに貢献できるだろう。
【００３３】
複数のコンテンツ特性201が一度だけ計算され、サマリの更新中には変わらない。重み付け係数はユーザのフィードバックを捕捉し、当該係数は、受信したユーザのフィードバックと共にサマリの更新中に変化する。
【００３４】
図4は、更新されたサマリ120に対するユーザのフィードバック301の効果を示している。同図では、コンテンツ項目100と、複数のコンテンツ特性201に依存した、初期の重要度のスコアに基づいて選択された区画のサブセットを有する初期のサマリ110とが示されている。
【００３５】
コンテンツの視聴中、ユーザはコンテンツ項目100の7番目の区画101gに対応する、サマリ110の4番目の区画に彼のフィードバック301を付与している。当該ユーザは、彼のフィードバック301で、彼が視聴している現在の区画を好むことを示す。このフィードバックに基づき、複数のコンテンツ特性201の各々の影響の度合いが決定され、調節された影響の度合いを用いた重要度のスコアと、複数のコンテンツ特性の値とが得られる。重要度のスコアの幾つかは増え、幾つかは減り、幾つかは変化無く留まる。例えば、現在視聴している区画101gの重要度のスコアは、値9から値10へと増加する。コンテンツ項目の区画101kに対応する重要度のスコアは、値6から値8へと増加する。
【００３６】
閾値5を超える重要度のスコアをもっている全ての区画がサマリに選択されると仮定して、更新されたサマリ120は、初期のサマリとは大幅に異なっている。初期のサマリ110に有った二つの区画のみが、更新されたサマリ120にも依然存在している。
【００３７】
ユーザは当該サマリを彼の個人的な嗜好へと更に調整することを選ぶことができ、これゆえ、彼は別の更新の反復の実施を選ぶことができる。この次の反復においては、これまでに更新されたサマリが、初期のサマリの代わりになる。
【００３８】
初期のサマリを経由する更新の反復の各々において、ユーザは、彼がサマリの更新を彼の個人的なフィードバック後毎に望むのか、又は全てのサマリに対して彼が供したフィードバックを集め、その後にだけ重要度のスコアとサマリとを更新することを望むのかどうかを選択することができる。
【００３９】
図5は、サマリの更新が実現され得る装置のセットアップの例を示している。装置600が、初期サマリ110を作るか又は取り出すために、及びユーザのフィードバック301に基づいて更新されたサマリ120を作るために使われる。装置500は、当該サマリをユーザに表示するために使われる。ユーザからのフィードバック301は、例えばリモコン装置700を用いて供される。当該装置500で、現在表示されている区画を好むか又は嫌いかのフィードバックは、例えばボタンを押すことによって供される。当該区画に対して好むことを意味する肯定的なフィードバックに対してはボタン701が押され、他方、嫌いであることを意味する否定的なフィードバックに対してはボタン702が押される。斯様なボタンの良く知られた例はTivoTM（登録商標）のリモコンの承認/否認ボタンがある。
【００４０】
ユーザのフィードバック301は、サマリの表示中に供されることができる。  斯様な場合、発せられたフィードバックに対応する区画を再生中にフィードバックが受信されるよう、ユーザはタイムリなフィードバックを供するよう注意せねばならない。フィードバックを供するために、ユーザは当該区画内にあるサマリの再生の休止を選択することもできる。この場合、受信したユーザのフィードバックがどの区画に属しているかで起こり得る曖昧さは存在しない。
【００４１】
ユーザのフィードバックは単なる簡単な2値の好きか/嫌いかのフィードバックよりも、より複雑である可能性もある。例えば、選択された区画の再生が休止したときに、ボタン701が押された回数又はボタン701が押されていた期間の持続時間は、ユーザがどれ位選択した区画を好んでいるかの測定にも役に立つ。同じことがボタン702にも言える。当該ボタンが押された回数が多いほど、又は当該ボタンが押され続けていた期間が長いほど、選択された区画は、より好まれてはいない。
【００４２】
フィードバック301が別の意味ももつことが可能であり、例えば映像ショットの拡張又は短縮を指示したり（これは図7を参照して議論されよう）、又は選択した区画の削除を明確に指示したりする（これは図8を参照して議論されよう）。
【００４３】
全てのこれらの加えられたオプションに対して、これらの具体的なフィードバックのタイプを供するために、指定されたボタンがリモコン装置700に割り当てられることができる。更に、追加の区画を加えるために、専用のグラフィカル・ユーザ・インタフェイス（GUI）が供される。このインタフェイスはユーザに、サマリに含まれていない区画の概観を示す。代表的な画像のリスト、又はキーフレームのリストを用いて、区画が表示されることができる。
【００４４】
より拡張されたユーザのフィードバックを受信するために、フィードバックの等級分けを供するだけではなく、複数のコンテンツ特性の各々に対するユーザのフィードバックの設定も可能にするようなGUIがユーザへ供されることも可能である。
【００４５】
図6は、ユーザのフィードバック301が供された、区画101gからサマリの終了区画101lまでの区画のみが更新された、サマリの部分的な更新の例110を示している。フィードバック301を供するユーザが、最初の区画101aから選択した区画101gまで視聴したサマリ110に満足していることを想像するのは妥当である。言い換えれば、ユーザは時間境界800までのサマリを好んでいる。斯様な場合、サマリの更新は、選択した区画101gに続く区画のみに対して行われる。ユーザのフィードバック301を組み入れるために、選択した区画から最後の区画までのコンテンツ項目を有するサブセット内に有る、複数の区画の重要度のスコアが更新される。その後、サマリの更新した部分に対し、この複数の区画のサブセットからの区画の選択がなされる。
【００４６】
更新された重要度のスコアが適用される、サマリの更新された部分に対する複数の区画の選択は、最も高い重要度のスコアの区画のサブセットを得るために用いられる閾値の調節を必要とするかも知れない。代替的には、サマリの合計時間に対する時間拘束が、サマリの更新部分用の区画の選択時に、考慮されるかも知れない。
【００４７】
ユーザが更にもう一度、更新の繰り返しを行うことを決めた場合、第1の（最初の）区画から、時間境界が設定され選択された区画までのコンテンツ項目の第1の部分の重要度のスコアが、ユーザのフィードバックの影響を組み込むために更新される。
【００４８】
図7は、選択された区画に隣接する少なくとも1個の区画を削除又は追加することによって、更新されたサマリ120が短縮されるか、又は拡張される例を例示している。ユーザのフィードバック301aは、選択した区画が属する映像ショットを、ユーザが短縮したいことを示している。当該映像ショットは、ここではカメラの連続した映像ショットに対応する一連の区画として理解される。
【００４９】
当該映像ショットは、中央に選択された区画が有る、三つの連続した区画を有していると仮定されたい。選択された区画に隣接する区画は、7及び9の重要度のスコアをもっている。当該映像ショットを短縮するというユーザの願望を満たすために、より低い重要度のスコアを持つ区画がサマリから削除される。
【００５０】
選択された区画の左側に有る、低い重要度のスコアをもつ区画が、選択された区画が属する映像ショットよりも別の映像ショットに属していると仮定すると、低いスコアをもつ区画はサマリ内に留まり、選択された区画の右側に隣接する区画が削除される。
【００５１】
代替的には、映像ショット内で最も低い重要度のスコアをもつ、別の最も低い区画が選択されることができる。この場合、選択された区画は削除され、より高い重要度のスコアをもつ隣の区画がサマリ内に留まる。サマリは、後続する区画の始まりから開始する。
【００５２】
ユーザのフィードバック301bは、選択された区画が属する映像ショットを、ユーザが拡張したいことを示している。当該映像ショットは選択された区画の右側に拡張されることのみが可能なので、右側に隣接し、同じ映像ショットに属する区画がサマリに加えられる。追加された区画の重要度のスコアが、サマリの選択に対して用いられた所定の閾値よりも低いという事実は無意味である。
【００５３】
直接的ではないものの、選択された区画以外の区画の削除及び追加は、選択された区画に対して供されたユーザのフィードバックに依然として関連する。これゆえ、削除された区画に対する嫌いとの明確なフィードバックをユーザが供し、及び加えられた区画に対する好きとの明確なフィードバックをユーザが供したと仮定して、区画の重要度のスコアが更新される。
【００５４】
図8は、複数の区画を追加し又は削除することにより、サマリ110のサイズが実質的に保持されている例を例示している。ユーザは、サマリの合計の再生時間に対する時間の拘束を付与することを選んでもよい。斯様な場合、図に例示されているように、選択した区画を削除するためのフィードバック301cをユーザが供したとき、目標とするサイズをサマリに供するために（複数の）追加の区画が加えられる。加えられた（複数の）区画は、初期のサマリでは選択されなかったコンテンツ項目の区画のサブセットから選ばれた、最高のスコアをもつ区画である。削除された区画を補填するために、コンテンツ項目に有る区画101h及び区画101lが加えられる。
【００５５】
当該サイズは、再生時間又はストレージのサイズのうちの一つである。更に、ユーザは、合計のサイズを設定する手段を具備している。サイズの設定は、例えば図5に示されるリモコン700を使って行われる。装置600のソフトウエアは、ユーザが例えば装置500に有るGUIを具備することができるよう適応されねばならない。
【００５６】
図9は、区画の再生リストとしてのサマリ110又はサマリ120の実行を例示している。コンテンツ項目100の区画分けの再利用を可能にし、コンテンツ特性の再計算の必要も無く、区画に対する複数のコンテンツ特性201の再利用も可能になるので、これはサマリを実行する全く効率の良い態様である。更にこれは、サマリに為されたユーザの反復の容易な追跡を可能にし、特定の区画に対するユーザのフィードバックに関する幾つかのユーザの決定の不実行を可能にする。更にこれは、ストレージへサマリを記憶するために必要とし、コンテンツ項目との関連でサマリの連続した区画に対してポインタ900が必要とする記憶容量を減じる。しかしながらこれは、区画分けされたコンテンツ項目が何処か他に記憶され、容易に利用可能であるとの条件下のことである。
【００５７】
上で説明された実施例は、本発明を制限するというよりむしろ、例示していることに留意されるべきで、当業者は添付の請求項の範囲を逸脱することなく、多数の代替的な実施例を設計することができよう。例えばオーディオビジュアル・コンテンツ項目の代わりに、オーディオコンテンツ項目が使われることが可能であろう。
【００５８】
添付の請求項において、括弧の間に置かれたどの引用記号も、本請求項を限定するものとして解釈されるべきではない。単語「有する」は、請求項で羅列されたもの以外の要素又はステップの存在を排除するものではない。要素に先行する単語「a」又は「an」は、斯様な要素の複数の存在を排除するものではない。本発明は、複数の独自な要素を有するハードウエアを用い、及び適切にプログラムされたコンピュータを用いて実行されることができる。
【００５９】
複数の手段を列挙している装置の請求項では、これらの手段の幾つかは同一のハードウエア項目によって具現化されることができる。相互に異なる従属請求項内で特定の測定が列挙されているとの単なる事実は、これらの測定の組み合わせが有利に使われることができないとは示していない。
【図面の簡単な説明】
【００６０】
【図１】コンテンツ項目を、対応する初期のサマリと共に概観的に示す。
【図２】区画に対する初期の重要度のスコアの、前記区画に対する複数のコンテンツ特性に対する依存度を例示する。
【図３】提案された、初期のサマリを更新する方法のフローチャートを示す。
【図４】更新されたサマリ上での、ユーザのフィードバックの効果を示す。
【図５】サマリの更新が実現されることができる装置のセットアップの例を示す。
【図６】フィードバックが供された区画からサマリの終わりまでの、複数の区画のみが更新された、サマリの部分更新の例を示す。
【図７】選択された区画に隣接する、少なくとも1個の区画を削除又は追加することによって、更新されたサマリが短縮されるか又は拡張される例を例示する。
【図８】複数の区画を追加又は削除することによって、サマリのサイズが実質的に保持される例を例示する。
【図９】複数の区画の再生リストとしての、サマリの実行を例示する。
【図１】
2009536490.tif 000004
【図２】
2009536490.tif 000005
【図３】
2009536490.tif 000006
【図４】
2009536490.tif 000007
【図５】
2009536490.tif 000008
【図６】
2009536490.tif 000009
【図７】
2009536490.tif 000010
【図８】
2009536490.tif 000011
【図９】
2009536490.tif 000012
【国際調査報告】
2009536490.tif 000013
2009536490.tif 000014
2009536490.tif 000015